(57)【要約】      （修正有）【課題】取付作業の安全性を向上した照明具を提供する。【解決手段】天井等に固定する芯台１０、第一電気台２０、スイッチ部材３０、発光パーツなどを収容したランプ体セット６０を備え、第一電気台２０は、芯台の下面側に設けられ、芯台内に設けられて外部電源に接続されるスイッチ部材３０と接続され、芯台をランプ体セット６０に組み付けると、スイッチ部材３０はランプ体セットに押圧されてオン状態となると共に、第一電気台２０を介してランプ体セット上の第二電気台と導通して、発光パーツに電力を供給する。ランプ体セットを芯台から取り外すと、スイッチ部材３０はオフとなって電気的に遮断される。【選択図】図１
0003212482.tif 000002
【実用新案登録請求の範囲】
【請求項１】
照明具であって、
照明具取付部材である芯台、第一電気台、２個のスイッチ部材、少なくとも１個の組み付け部材、２個のボルト部材、ランプ体セットを備え、
上記芯台内には、収容室を設けると共に該収容室中央には中央台を突出状に設けて、該中央台端面に開口する貫通孔を設置し、該芯台の外周囲面には該収容室内と相互に連通する少なくとも１個の貫通溝孔を設置し、
該芯台外周部には、複数のフック部を設け、該収容室内には少なくとも１個の第一組み付け部を該貫通溝孔と相対して設置し、
該収容室内には、該第一組み付け部とそれぞれ対応して第二組み付け部を設置し、これにより、該少なくとも１個の第一組み付け部は貫通溝孔と第二組み付け部間にそれぞれ位置し、
上記第一電気台は、上部に第一導電部及び第二導電部を設けて上記中央台内の前記貫通孔に挿通して収容して、該貫通孔の開口から露出して設置され、
上記スイッチ部材は、貫通溝孔及び第一組み付け部に近い位置にそれぞれ組み付けられ、貫通溝孔を通して一部が該芯台外に突出し、
上記少なくとも１個の組み付け部材は、第二組み付け部及びスイッチ部材上にそれぞれ組み付けられ、こうしてスイッチ部材は上記組み付け部材にそれぞれ制限されて第一組み付け部位置に組み付けられ、
上記ランプ体セットは、ランプ台、第二電気台及び発光パーツを備え、該ランプ台には、収容凹部を設けてその収容凹部の内周面には複数の凸部を環状に設置することにより、
上記芯台とランプ体セットとが組合せられて、芯台外周部の各フック部とランプ台内周面の凸部とが相互に係合すると、各凸部は対応するスイッチ部材を押圧してオン状態として、上記第一導電部及び第二導電部と外部電源の電気的回路とは導通し、
該凸部と該フック部とが係合を離脱すると、該凸部はスイッチ部材を押圧せずにスイッチ部材はオフ状態となって、該第一導電部及び該第二導電部と該外部電源の電気的回路は遮断され、
上記ランプ体セットの第二電気台は、その収容凹部内に収容して設置され、第三導電部及び第四導電部を設けて、前記第一電気台の該第一導電部及び該第二導電部とそれぞれ電気的に接続され、
上記発光パーツとランプ台及び第二電気台とは相互に組み付けられると、
該発光パーツと該第三導電部及び該第四導電部とは電気的に接続されて外部電源から電力を供給されることを特徴とする照明具。
【請求項２】
前記芯台は、物体上に固定して設置され、
該芯台は、開口が上向きの円形薄殼状を呈し、
該収容室は、少なくとも１個の電線及び回路板を収容して設置し、
該中央台は円筒状を呈し、該貫通溝孔は六角溝状を呈することを特徴とする請求項１に記載の照明具。
【請求項３】
前記芯台外周部の少なくとも１個の貫通溝孔は２個で、
該２個の貫通溝孔は環状配列を呈し、
該複数のフック部は４個で、環状配列を呈し、
２個のフック部と２個の貫通溝孔とは相対することを特徴とする請求項１に記載の照明具。
【請求項４】
前記第二組み付け部は、ネジ孔状を呈し、少なくとも１個のボルト部材を設置し、
該少なくとも１個のボルト部材は、前記少なくとも１個の組み付け部材にそれぞれ通して設置されて第二組み付け部と結合し、
これにより、該組み付け部材は、該第二組み付け部位置に組み付けられることを特徴とする請求項１に記載の照明具。
【請求項５】
前記スイッチ部材は、マイクロスイッチであることを特徴とする請求項１に記載の照明具。
【請求項６】
前記芯台外周部の少なくとも１個の貫通溝孔は、少なくとも１個のフック部の内周囲に位置し、
前記ランプ体セット内面の凸部と該フック部とが係合すると、同時に該スイッチ部材を押圧してオン状態を呈させることを特徴とする請求項１に記載の照明具。
【請求項７】
前記ランプ体セットは、光透過可能なランプシェードを備え、
該ランプシェードと該ランプ台セットとは相互に組み付けられ、前記発光パーツは該ランプシェード内に収容して設置されることを特徴とする請求項１に記載の照明具。
【請求項８】
前記スイッチ部材は、２個の凸柱及び弾性パーツを備え、
該２個の凸柱は間隔を設けて相対し、該弾性パーツの両端にそれぞれ嵌設されて、前記スイッチ部材が該凸部に押圧されると、該弾性パーツは圧縮されて該２個の凸柱は相互に接触し、こうして該スイッチ部材はオン状態を呈することを特徴とする請求項１に記載の照明具。
【請求項９】
前記スイッチ部材は、相互に間隔を設けた２個の電極片を備え、
前記凸部は導電性を備え、
該凸部が該スイッチ部材の２個の電極片を押圧るすと、該スイッチ部材はオン状態を呈することを特徴とする請求項１に記載の照明具。
【請求項１０】
前記ランプ体セット内面の凸部の数は、前記芯台外周部のフック部より多く、該複数の凸部の一部と該複数のフック部の全部とはそれぞれ係合し、他の凸部は前記スイッチ部材を押圧してオン状態を呈させることを特徴とする請求項１に記載の照明具。
【考案の詳細な説明】
【技術分野】
【０００１】
本考案は照明具に関し、特に室内照明として使用される照明具に関する。
【背景技術】
【０００２】
従来の照明具は、取り付け台及びランプ体台を備える。
取り付け台は、天井或いは壁面に固定して設置される。
取り付け台上には、第一嵌合部及び給電パーツを設置する。
ランプ体台には、第二嵌合部及び発光パーツを設置する。
ランプ体台と取り付け台とは、第二嵌合部と第一嵌合部を相互に嵌合して組合せる。
給電パーツは、発光パーツに給電し発光させる。
【０００３】
しかし、上記した従来の構造には、欠点が存在する。
取り付け台を、天井或いは壁面に固定して設置すると、その回路は連通し、これにより第一嵌合部は通電状態を呈するが、使用者が、さらにランプ体台を取り付け台上に組み付ける時には、第二嵌合部と第一嵌合部とを対応させて嵌接する必要がある。
この際、不注意で、使用者の身体が接触し感電する恐れがあり、安全性が劣る。
工具或いは他の導電物体が不注意で接触しても、回路のショートを招き、電源をオフにすれば、照明具が正常であるかどうかをテストする必要があり、不便である。
【先行技術文献】
【特許文献】
【０００４】
【特許文献１】登録実用新案３１７４４４８号公報
【特許文献２】特開２０１６−２１３６７号公報
【考案の概要】
【考案が解決しようとする課題】
【０００５】
本考案は、安全で、使用に便利な照明具を提供することである。
【課題を解決するための手段】
【０００６】
照明具は、芯台、第一電気台、スイッチ部材及びランプ体セットを備え、
該ランプ体セットと該芯台とを相互に組合せると、該ランプ体セットの複数の凸部と該芯台の複数のフック部とは、相互に係合し、同時に凸部の一部は、スイッチ部材を押し、オン状態を呈させ、これにより該第一電気台と該ランプ体セット上の第二電気台及び発光パーツとは電気的に連接し、外部電源を受け取り、
該ランプ体セットを該芯台上から取り外すと、該スイッチ部材は該凸部に押されなくなり、オフ状態を呈する。
【考案の効果】
【０００７】
本考案の照明具は、以下の効果を備える。
１.ランプ体セットと芯台とを組合せると、凸部とフック部とは係合し、同時に凸部はスイッチ部材を押しオン状態を呈させ、これにより第三導電部、第四導電部、第一導電部、第二導電部及び発光パーツと外部電源は電子回路の連通を呈する。ランプ体セットを芯台から取り外せば、スイッチ部材はオフ状態を呈するため、安全性が高い。
２.芯台に相対してランプ体セットを回すと、凸部とフック部とは係合し或いは外れるため、スイッチ部材のオン或いはオフの制御と、組合せの二重の機能を備える。
【図面の簡単な説明】
【０００８】
【図１】本考案による照明具の立体分解図である。
【図２】本考案による照明具の芯台の立体図である。
【図３】本考案による照明具のランプ体セットの立体分解図である。
【図４】本考案による照明具の立体組合せ図である。
【図５】本考案による照明具の立体図である。
【図６】本考案による照明具の上視図である。
【図７】図６中の７-７位置でカットした断面図である。
【図８】本考案による照明具の前視図である。
【図９】図８中の９-９位置でカットした断面図である。
【図１０】図９中のＣ位置の拡大図である。
【図１１】本考案による照明具の第二操作状態の立体図である。
【図１２】本考案による照明具の第二操作状態の断面図である。
【図１３】本考案による照明具の第三操作状態の立体図である。
【図１４】本考案第二実施例によるスイッチ部材の立体図である。
【図１５】本考案第二実施例によるスイッチ部材の上視図である。
【図１６】本考案第三実施例によるスイッチ部材と凸部の立体図である。
【考案を実施するための形態】
【０００９】
[実施例]
図１〜図６に示すように、本考案による照明具は、芯台１０、第一電気台２０、２個のスイッチ部材３０、少なくとも１個の組み付け部材４０、２個のボルト部材５０及びランプ体セット６０を備える。
【００１０】
芯台１０は、壁面或いは天井に固定して設置され、開口が上向きの円形薄殼台体状を呈し、内部には収容室１１を備え、電線、回路板或いは他の必要なパーツを収容する。
【００１１】
該収容室１１中央には、円柱形の中央台１２を突出状に設置する。
【００１２】
該中央台１２一端面には、六角形（或いは円形）の貫通溝孔１３を設置する。
【００１３】
該芯台１０周囲面には、２個の貫通溝孔１４を環状に設置し、これにより該収容室１１と相互に通じ、及びそれぞれＬ形の４個のフック部１５を環状に配列する。
【００１４】
該２個のフック部１５と該２個の貫通溝孔１４とは、それぞれ対応する。
【００１５】
該収容室１１内には、２個のスイッチ部材３０に対する第一組み付け部１６をそれぞれ設置し、これにより２個の貫通溝孔１４とそれぞれ対応し、及びネジ孔状を呈する２個の第二組み付け部１７を設置し、これにより２個の第一組み付け部１６とそれぞれ対応する。
【００１６】
該第一組み付け部１６は、貫通溝孔１４と第二組み付け部１７との間に位置する。
【００１７】
前記第一電気台２０は、中央台１２内に収容して設置され、その上面には、第一導電部２１及び複数の環状に配列された爪状の第二導電部２２を設置する。
【００１８】
該第一導電部２１は、中央台１２の貫通溝孔１３を挿通して設置される。
【００１９】
２個のスイッチ部材３０は、２個の貫通溝孔１４及び２個の第一組み付け部１６上にそれぞれ組み付けられる。
【００２０】
該スイッチ部材３０には、作動部材３１を設置する。
【００２１】
該作動部材３１は、該貫通溝孔１４の開口から該芯台１０の外部に露出する。
【００２２】
該スイッチ部材３０は、マイクロスイッチである。
【００２３】
それぞれ板状を呈する２個の組み付け部材４０は、該２個の第二組み付け部１７及び該２個のスイッチ部材３０上にそれぞれ組み付けられる。
【００２４】
該スイッチ部材３０は、組み付け部材４０に制限され、第一組み付け部１６に組み付けられる。
【００２５】
２個のボルト部材５０は、２個の組み付け部材４０をそれぞれ螺合して２個の第二組み付け部１７に組み付ける。
【００２６】
該ボルト部材５０は、螺合部材である。
【００２７】
ランプ体セット６０は、前記芯台１０と組み付ける。
【００２８】
該芯台１０に、ランプ体セット６０を組み付け後、該ランプ体セット６０は、該貫通溝孔１４位置で、該貫通溝孔１４から外部に突出したスイッチ部材３０の作動部材３１を押圧し、これにより該スイッチ部材３０はオン状態を呈し、こうして該第一電気台２０の第一導電部２１及び該第二導電部２２は、外部電源７０と電気的に導通する。
【００２９】
該ランプ体セット６０を該芯台１０から取り外すとスイッチ部材３０の作動部材３１は、押圧状態から復帰し、これによりスイッチ部材３０オフ状態となって該第一導電部２１と該第二導電部２２との間の電気的導通状態は遮断され、該第二導電部２２は、外部電源から遮断される。
【００３０】
該ランプ体セット６０は、ランプ台６１、第二電気台６２、発光パーツ６３及びランプシェード６４を備える。
【００３１】
該ランプ台６１には、円形凹部を形成する収容凹部６１１を設置する。
【００３２】
ランプ台６１の収容凹部６１１の周囲面には、それぞれ凸ブロック状を呈する複数の凸部６１２を環状に設置する。
【００３３】
該凸部６１２と前記芯台１０のフック部１５とは、相互に係合し、これにより該芯台１０と該ランプ体セット６０とは組合せられる。
【００３４】
ランプ台６１の凸部６１２と芯台１０の該貫通溝孔１４の対応するフック部１５とが相互に係合すると、凸部６１２は作動部材３１に接触し、これにより該スイッチ部材３０はオンとなり、こうして第一電気台２０の第一導電部２１及び第二導電部２２は、外部電源７０と電気的に導通する。
【００３５】
前記第二電気台６２は、ランプ体セット６０の収容凹部６１１内に収容して設置され、その上には、第三導電部６２１及び第四導電部６２２を設置し、これにより第一電気台２０の第一導電部２１及び第二導電部２２とそれぞれ接続し、電気的に導通する。
【００３６】
発光パーツ６３とランプ台６１及び第二電気台６２とは、相互に組み付けられ、第三導電部６２１及び第四導電部６２２と相互に接続されて電気的に接続し、電流を通じて発光する。
【００３７】
ランプシェード６４とランプ台６１とは、相互に組み付けられる。
【００３８】
発光パーツ６３は、光透過可能なランプシェード６４内に収容される。
【００３９】
具体的な実施例において、第一導電部２１と外部電源７０のファイヤー線７１と連接し、スイッチ部材３０の一方の電気接点３００と外部電源７０のアース線７２とは連接し、もう一方の電気接点３０１と第二導電部２２とは連接し、作動部材３１はランプ台６１の凸部６１２に押圧されて、スイッチ部材３１の２個の電気接点３００、３０１に接続する。
【００４０】
図６、図７に示すように、該ランプ体セット６０と該芯台１０とを相互に組み付け、該第二電気台６２と該第一電気台２０とを組合せ、該第三導電部６２１及び該第四導電部６２２と該第一導電部２１及び該第二導電部２２とをそれぞれ接続して電気的に接続すると、該第一導電部２１及び該第二導電部と外部電源との間の電気的回路は導通して該発光パーツ６３は外部電源の電流を供給されて発光する。
【００４１】
当然、従来の技術のように、外部電源には、スイッチを設置し、外部電源の供給を制御できる。
【００４２】
図８〜図１０に示すように、天井などに固定された芯台１０に対してランプ体セット６０を取付けるに際して、該ランプ体セット６０を芯台１０に相対して回転すると、該ランプ体セット６０の凸部６１２と該芯台１０のフック部１５とは相互に係合して該ランプ体セット６０は、該芯台１０と組合せて固定され、この時、凸部６１２は該芯台１０の貫通溝孔１４から伸び出すスイッチ部材３０の作動部材３１を押圧してスイッチ部材３０はオン状態となり、該第三導電部６２１、該第四導電部６２２、該第一導電部２１、該第二導電部２２及び該発光パーツ６３は電気的接続が達成される。
【００４３】
図１１〜図１３に示すように、使用者が該ランプ体セット６０と該芯台１０とは相対的に回して分離すると、該凸部６１２と該フック部１５とは離れ、作動部材３１は凸部６１２に押されることがなくなり、こうしてスイッチ部材３０はオフ状態となり、該第一導電部２１及び該第二導電部２２と外部電源とは遮断され、同時に該ランプ体セット６０は該芯台１０から離脱する。
【００４４】
図１４及び図１５に示すように、該スイッチ部材３０内には、相対して間隔を設けた凸柱３２及び弾性パーツ３３を設置し、該弾性パーツ３３両端は、２個の凸柱３２に嵌合する。
【００４５】
該作動部材３１が、凸部６１２に押圧されて移動すると、弾性パーツ３３を圧縮し、同時に２個の凸柱３２は相互に接触し、こうしてスイッチ部材３０はオン状態となる。
【００４６】
図１６に示すように、該スイッチ部材３０は、間隔を設けた２個の電極片３１０を備え、凸部６１２は導電材質からなり、該凸部６１２が回転し、同時に該２個の電極片３１０と接続すると、該スイッチ部材３０はオン状態となる。
【００４７】
本考案による別種の実施例では、等しい中心角で環状に配列する８個の凸部６１２、等中心角で環状に排列する４個のフック部１５は、２個の貫通溝孔１４及び２個のスイッチ部材３０を備える。
【００４８】
該フック部１５と該貫通溝孔１４とは、四十五度中心角がずれる。
【００４９】
該各フック部１５は、凸部６１２を備え、これと係合し、他の２個の凸部６１２は、それぞれ２個のスイッチ部材３０を押す。
【００５０】
本考案の別種の実施例では、該芯台１０及び該ランプ体セット６０は外観上、円体状、四方体状、五角体状或いは各様式の形状である。
【００５１】
本考案の長所は以下の通りである。
１.ランプ体セット６０と芯台１０とを組合せる操作により凸部６１２とフック部１５とが係合し、同時に凸部６１２はスイッチ部材３０を押しオン状態となり、これにより第三導電部６２１、第四導電部６２２、第一導電部２１、第二導電部２２及び発光パーツ６３と外部電源が電気的に接続される。ランプ体セット６０を芯台１０から取り外せば、スイッチ部材３０はオフ状態を呈するため、安全性が高い。
２.芯台１０に相対してランプ体セット６０を回すと、凸部６１２とフック部１５とは係合し或いは外れるため、スイッチ部材３０のオン或いはオフの制御と、組立ての二重の機能を備える。
【産業上の利用可能性】
【００５２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００５３】
１０  芯台
１１  収容室
１２  中央台
１３  貫通溝孔
１４  貫通溝孔
１５  フック部
１６  第一組み付け部
１７  第二組み付け部
２０  第一電気台
２１  第一導電部
２２  第二導電部
３０  スイッチ部材
３００、３０１  電気接点
３１  作動部材
３１０  電極片
３２  凸柱
３３  弾性パーツ
４０  組み付け部材
５０  ボルト部材
６０  ランプ体セット
６１  ランプ台
６１１  収容凹部
６１２  凸部
６２  第二電気台
６２１  第三導電部
６２２  第四導電部
６３  発光パーツ
６４  ランプシェード
７０  外部電源
７１  ファイヤー線
７２  アース線
【図１】
0003212482.tif 000003
【図２】
0003212482.tif 000004
【図３】
0003212482.tif 000005
【図４】
0003212482.tif 000006
【図５】
0003212482.tif 000007
【図６】
0003212482.tif 000008
【図７】
0003212482.tif 000009
【図８】
0003212482.tif 000010
【図９】
0003212482.tif 000011
【図１０】
0003212482.tif 000012
【図１１】
0003212482.tif 000013
【図１２】
0003212482.tif 000014
【図１３】
0003212482.tif 000015
【図１４】
0003212482.tif 000016
【図１５】
0003212482.tif 000017
【図１６】
0003212482.tif 000018